(57)【特許請求の範囲】
【請求項１】
波長の異なるレーザ光を出射する複数のレーザ光源を駆動するレーザ駆動電流を、入力される映像信号に基づいて生成する複数のレーザ駆動映像電流生成回路、及び、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部、
を備え、前記映像信号の明暗を繰り返す最小単位である画素の周波数と前記高周波信号の周波数とを同期させるレーザ駆動回路。
【請求項２】
前記発振器は、前記映像信号に同期した信号に応じて前記発振器の発振停止／発振開始を制御する発振位相同期回路を有する請求項１に記載のレーザ駆動回路。
【請求項３】
前記映像信号に同期した信号は、当該映像信号の明暗を繰り返す最小単位である画素の開始を示す画素周期同期信号である請求項１または請求項２に記載のレーザ駆動回路。
【請求項４】
前記高周波重畳部は、前記映像信号から前記画素周期同期信号を抽出し、当該画素周期同期信号を前記映像信号に同期した信号として前記発振器に与える画素周期抽出回路を有する請求項３に記載のレーザ駆動回路。
【請求項５】
前記高周波重畳部は、前記映像信号のレベル情報を、明暗を繰り返す最小単位である画素毎に判別してレベル変動を検出し、当該レベル変動に同期した信号を前記映像信号に同期した信号として前記発振器に与えるレベル変動検出回路を有する請求項１または請求項２に記載のレーザ駆動回路。
【請求項６】
前記高周波重畳部は、任意の、若しくは、前記高周波信号の周波数に連動した発振停止期間を設定する発振停止期間設定回路を有し、
前記発振器は、前記発振停止期間設定回路が設定した発振停止期間の間発振を停止した後に、発振を開始する請求項２から請求項５のいずれか１項に記載のレーザ駆動回路。
【請求項７】
前記高周波重畳部は、複数の発振器を有し、
前記発振位相同期回路は、前記複数の発振器の発振出力を切り替えることにより、一の発振器の発振停止期間では別の発振器の発振出力を、レーザ駆動電流に重畳する高周波信号として用いる請求項２または請求項３に記載のレーザ駆動回路。
【請求項８】
前記高周波重畳部は、複数のレーザ駆動映像電流生成回路に対応して設けられ、入力される映像信号に対して振幅調整を行う複数の増幅／減衰器を有し、発振停止期間に前記複数の増幅／減衰器の出力を選択することによって輝度の調整を行う請求項２から請求項６のいずれか１項に記載のレーザ駆動回路。
【請求項９】
前記高周波重畳部は、前記発振器の出力をカウントし、カウント値が所定の設定値になったときにカウンタ信号を出力するカウンタを有し、
前記発振器は、前記カウンタが出力するカウンタ信号を受けて発振を停止する請求項２、請求項３、または、請求項８に記載のレーザ駆動回路。
【請求項１０】
波長の異なるレーザ光を出射する複数のレーザ光源を駆動するレーザ駆動電流を、入力される映像信号に基づいて生成するレーザ駆動映像電流生成ステップ、
前記映像信号に同期した信号を基に、前記映像信号の帯域を超える周波数の高周波信号を発振する発振ステップ、及び、
前記レーザ駆動映像電流生成ステップで生成するレーザ駆動電流に対して、前記発振ステップで発振する前記高周波信号を重畳する高周波重畳ステップ、
を有し、前記映像信号の明暗を繰り返す最小単位である画素の周波数と前記高周波信号の周波数とを同期させるレーザ駆動方法。
【請求項１１】
波長の異なるレーザ光を出射する複数のレーザ光源、
入力される映像信号に応じて前記複数のレーザ光源を駆動するレーザ駆動回路、及び、
前記複数のレーザ光源から出射されたレーザ光をスクリーンに投影するスキャナ部、
を具備し、
前記レーザ駆動回路は、
前記複数のレーザ光源を駆動するレーザ駆動電流を前記映像信号に基づいて生成する複数のレーザ駆動映像電流生成回路、及び、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部、
を備え、前記映像信号の明暗を繰り返す最小単位である画素の周波数と前記高周波信号の周波数とを同期させるプロジェクタ装置。
【請求項１２】
波長の異なるレーザ光を出射する複数のレーザ光源を駆動するレーザ駆動電流を、入力される映像信号に基づいて生成する複数のレーザ駆動映像電流生成回路、及び、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部、
を備え、前記映像信号の明暗を繰り返す最小単位である画素の周波数と前記高周波信号の周波数とを同期させるレーザ駆動回路を用いる装置。
【発明の詳細な説明】
【技術分野】
【０００１】
本開示は、レーザ駆動回路、レーザ駆動方法、プロジェクタ装置、及び、レーザ光（レーザビーム）を用いる装置に関する。
【背景技術】
【０００２】
レーザ光（レーザビーム）を用いる装置として、例えば、レーザ光を用いて画像の表示を行うレーザディスプレイ装置がある。このレーザディスプレイ装置は、レーザ光を出射するレーザ光源をレーザ駆動回路によって駆動し、当該レーザ駆動回路による駆動の下でレーザ光をスキャナによって走査することにより、スクリーン上に画像を表示するという装置である（例えば、特許文献１参照）。
【先行技術文献】
【特許文献】
【０００３】
【特許文献１】特開２０１０−６６３０３号公報
【発明の概要】
【発明が解決しようとする課題】
【０００４】
レーザディスプレイ装置では、スクリーンの微小な凹凸によって、レーザ光源からスクリーンを経て視聴者の目に結像するまでのレーザ光の光路長がランダムに変化する。そして、レーザ光のような波長及び位相が揃ったコヒーレントな光の場合、光路長の変化に応じて位相の異なる光が目に入射し、それらが互いに干渉して強度がランダムに分布する干渉縞が無数に見える斑点、所謂、スペックルノイズが生じる。このスペックルノイズについては、レーザディスプレイ装置に限らず、コヒーレント光であるレーザ光を用いる装置全般について言える問題である。
【０００５】
そこで、本開示は、レーザ光がコヒーレント光であることに起因するスペックルノイズを低減することができるレーザ駆動回路、レーザ駆動方法、プロジェクタ装置、及び、レーザ光を用いる装置を提供することを目的とする。
【課題を解決するための手段】
【０００６】
上記の目的を達成するための本開示のレーザ駆動回路は、
波長の異なるレーザ光を出射する複数のレーザ光源を駆動するレーザ駆動電流を、入力される映像信号に基づいて生成する複数のレーザ駆動映像電流生成回路と、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部とを備えるレーザ駆動回路である。
【０００７】
また、上記の目的を達成するための本開示のレーザ駆動方法は、
波長の異なるレーザ光を出射する複数のレーザ光源を駆動するレーザ駆動電流を、入力される映像信号に基づいて生成するレーザ駆動映像電流生成ステップと、
前記映像信号に同期した信号を基に、前記映像信号の帯域を超える周波数の高周波信号を発振する発振ステップと、
前記レーザ駆動映像電流生成ステップで生成するレーザ駆動電流に対して、前記発振ステップで発振する前記高周波信号を重畳する高周波重畳ステップとを有するレーザ駆動方法である。
【０００８】
映像信号に基づくレーザ駆動電流に高周波信号を重畳し、この高周波信号を重畳したレーザ駆動電流によってレーザ光源を駆動することにより、レーザ光源から出射されるレーザ光の波長スペクトラムが広がるため可干渉性が下がる。そして、レーザ光の可干渉性が下がることで、レーザ光がコヒーレント光であることに起因するスペックルノイズを低減できる。
【０００９】
このとき、映像信号と高周波信号が非同期だと、両者の混変調に伴う折返し成分が生じ、画質を損なう懸念がある。それに対して、映像信号に同期した信号を基に、レーザ駆動電流に重畳する高周波信号を発振することで、高周波信号が映像信号と同期する。これにより、映像信号と高周波信号の混変調に伴う折返し成分を抑えることができるため、当該折返し成分による画質劣化を回避することができる。
【発明の効果】
【００１０】
本開示によれば、レーザ駆動電流に重畳する高周波信号を映像信号と同期させることにより、両者の混変調に伴う折返し成分による画質劣化を回避しつつ、レーザ光がコヒーレント光であることに起因するスペックルノイズを低減することができる。
【図面の簡単な説明】
【００１１】
【図１】図１は、レーザビーム・スキャニング方式のプロジェクタ装置の構成の一例を示すシステム構成図である。
【図２】図２は、レーザビーム・スキャニング方式のスクリーン上の走査方法の例を示す図である。
【図３】図３は、ビデオ信号処理回路とレーザ駆動回路との間の映像信号インターフェースの一例を示す図である。
【図４】図４は、スペックルノイズについて説明するモデル図である。
【図５】図５は、本開示のレーザ駆動回路の基本的な構成を示すブロック図である。
【図６】図６は、半導体レーザの電流−光出力特性を示す図である。
【図７】図７は、レーザ駆動電流に高周波信号を重畳する概念図である。
【図８】図８は、レーザ駆動電流に高周波信号を重畳することによるレーザ出力光の波長スペクトラムの変化を示す図である。
【図９】図９は、投影映像信号に非同期の高周波信号を重畳したときのレーザ駆動電流の例を示す波形図である。
【図１０】図１０は、第１実施形態の実施例１に係るレーザ駆動回路の構成を示すブロック図である。
【図１１】図１１は、第１実施形態の実施例１における投影映像信号と高周波信号の振幅との関係を示す波形図である。
【図１２】図１２は、第１実施形態の実施例１における投影映像信号の画素周期に発振停止／発振開始が同期した高周波信号を重畳したレーザ駆動電流の例を示すタイミング波形図である。
【図１３】図１３は、発振位相同期回路を有する重畳信号発振器の構成の一例を示すブロック図である。
【図１４】図１４は、第１実施形態の実施例２に係るレーザ駆動回路の構成を示すブロック図である。
【図１５】図１５は、第１実施形態の実施例２における投影映像信号の画素周期に発振停止／発振開始が同期した高周波信号を重畳したレーザ駆動電流の例を示すタイミング波形図である。
【図１６】図１６は、第１実施形態の実施例３に係るレーザ駆動回路の構成を示すブロック図である。
【図１７】図１７は、第１実施形態の実施例３における投影映像信号の画素周期に発振停止／発振開始が同期した高周波信号を重畳したレーザ駆動電流の例を示すタイミング波形図である。
【図１８】図１８は、第１実施形態の実施例４に係るレーザ駆動回路の構成を示すブロック図である。
【図１９】図１９は、第１実施形態の実施例５に係るレーザ駆動回路の構成を示すブロック図である。
【図２０】図２０は、第１実施形態の実施例５における投影映像信号の画素周期に発振停止／発振開始が同期した高周波信号を重畳したレーザ駆動電流の例を示すタイミング波形図である。
【図２１】図２１は、第１実施形態の実施例６に係るレーザ駆動回路の構成を示すブロック図である。
【図２２】図２２は、第１実施形態の実施例６における投影映像信号の画素周期に発振停止／発振開始が同期した高周波信号を重畳したレーザ駆動電流の例を示すタイミング波形図である。
【図２３】図２３は、第１実施形態の実施例７に係るレーザ駆動回路の構成を示すブロック図である。
【図２４】図２４は、第１実施形態の実施例７における投影映像信号の画素周期に発振停止／発振開始が同期した高周波信号を重畳したレーザ駆動電流の例を示すタイミング波形図である。
【図２５】図２５は、第１実施形態の実施例８に係るレーザ駆動回路の構成を示すブロック図である。
【図２６】図２６は、第１実施形態の実施例８における投影映像信号の画素周期に発振停止／発振開始が同期した高周波信号を重畳したレーザ駆動電流の例を示すタイミング波形図である。
【図２７】図２７は、第１実施形態の他の適用例に係るレーザ駆動回路の構成を示すブロック図である。
【図２８】図２８は、適用例における２つの増幅／減衰器の利得と高周波信号の振幅との関係を示す波形図（その１）である。
【図２９】図２９は、適用例における２つの増幅／減衰器の利得と高周波信号の振幅との関係を示す波形図（その１）である。
【図３０】図３０は、第２実施形態の適用例１に係るレーザ駆動回路の構成を示すブロック図である。
【図３１】図３１は、第２実施形態の適用例２に係るレーザ駆動回路の構成を示すブロック図である。
【図３２】図３２は、第２実施形態の適用例３に係るレーザ駆動回路の構成を示すブロック図である。
【図３３】図３３は、第２実施形態の適用例４に係るレーザ駆動回路の構成を示すブロック図である。
【発明を実施するための形態】
【００１２】
以下、本開示の技術を実施するための形態（以下、「実施形態」と記述する）について図面を用いて詳細に説明する。本開示は実施形態に限定されるものではなく、実施形態における種々の数値などは例示である。以下の説明において、同一要素又は同一機能を有する要素には同一符号を用いることとし、重複する説明は省略する。尚、説明は以下の順序で行う。
１．本開示のレーザ駆動回路、レーザ駆動方法、プロジェクタ装置、及び、レーザ光を用いる装置、全般に関する説明
２．本開示の技術が適用されるプロジェクタ装置のシステム構成
３．本開示のレーザ駆動回路の基本的な構成
４．第１実施形態（レーザ駆動映像電流生成回路の入力側で重畳処理を行う場合の例）
４−１．実施例１
４−２．実施例２
４−３．実施例３
４−４．実施例４
４−５．実施例５
４−６．実施例６
４−７．実施例７
４−８．実施例８
４−９．他の適用例
５．第２実施形態（レーザ駆動映像電流生成回路の出力側で重畳処理を行う場合の例）
５−１．適用例１
５−２．適用例２
５−３．適用例３
５−４．適用例４
６．本開示の構成
【００１３】
＜１．本開示のレーザ駆動回路、レーザ駆動方法、プロジェクタ装置、及び、レーザ光を用いる装置、全般に関する説明＞
本開示のレーザ駆動回路は、波長の異なるレーザ光（以下、「レーザビーム」と記述する場合もある）を出射する複数のレーザ光源を駆動するためのものである。複数のレーザ光源としては、例えば、赤色（Ｒ）、緑色（Ｇ）、青色（Ｂ）の三種類の波長のレーザ光を出射するＲＧＢの３つのレーザ光源を用いることができる。レーザ光源としては、他の光源に比較して小型で効率の良い半導体レーザを用いるのが望ましい。但し、半導体レーザは一例であって、レーザ光源としては、半導体レーザに限られるものではない。
【００１４】
本開示のレーザ駆動回路は、映像信号を入力とし、当該映像信号を増幅して各レーザ光源を駆動するレーザ駆動電流を生成する。このレーザ駆動電流の生成に当たって、本開示の技術は、映像信号の帯域を超える周波数の高周波信号をレーザ駆動電流に重畳する、所謂、高周波重畳の技術を用いるレーザ駆動回路及びレーザ駆動方法に関する。そして、高周波重畳の技術を用いる、本開示のレーザ駆動回路及びレーザ駆動方法は、レーザ光を用いる装置全般に対して適用することができる。
【００１５】
レーザ光を用いる装置、特に、本開示のレーザ駆動回路及びレーザ駆動方法を用いる装置としては、レーザディスプレイ装置、特に、レーザディスプレイ装置の一種である、レーザビーム・スキャニング方式のプロジェクタ装置を例示することができる。但し、本開示の技術は、プロジェクタ装置への適用に限られるものではなく、レーザ光を用いる装置全般に対して適用可能である。プロジェクタ装置以外のレーザディスプレイとして、ヘッドマウントディスプレイ、レーザ液晶ＴＶ（テレビジョン）、有機レーザＴＶ、立体（三次元）ディスプレイなどを例示することができる。
【００１６】
本開示のレーザ駆動回路は、波長の異なるレーザ光を出射する複数のレーザ光源を駆動するレーザ駆動電流を、入力される映像信号に基づいて生成する複数のレーザ駆動映像電流生成回路を備える。本開示のレーザ駆動回路は更に、複数のレーザ駆動映像電流生成回路が生成するレーザ駆動電流に対して、映像信号の帯域を超える周波数の高周波信号を重畳する高周波重畳部を備える。
【００１７】
このように、映像信号に基づくレーザ駆動電流に高周波信号を重畳し、この高周波信号を重畳したレーザ駆動電流によってレーザ光源を駆動することにより、レーザ光源から出射されるレーザ光の波長スペクトラムが広がるため可干渉性が下がる。そして、レーザ光の可干渉性が下がることで、レーザ光がコヒーレント光であることに起因するスペックルノイズを低減できる。
【００１８】
ここで、映像信号と高周波信号が非同期だと両者の混変調に伴う折返し成分が生じ、画質を損なう懸念がある。そこで、本開示のレーザ駆動回路にあっては、高周波重畳部は、映像信号の帯域を超える周波数の高周波信号の信号源として、映像信号に同期した信号を基に、レーザ駆動電流に重畳する高周波信号を発振する発振器を用いることを特徴としている。
【００１９】
このように、映像信号に同期した信号を基に、レーザ駆動電流に重畳する高周波信号を生成することにより、映像信号と高周波信号とを同期させることができる。これにより、映像信号と高周波信号の混変調に伴う折返し成分を抑えることができるため、当該折返し成分による画質劣化を回避することができる。
【００２０】
上述した好ましい構成を含む本開示のレーザ駆動回路、レーザ駆動方法、及び、レーザ光を用いる装置にあっては、レーザ駆動電流に重畳する高周波信号を発振する発振器について、映像信号に同期した信号に応じて発振器の発振停止／発振開始を制御する発振位相同期回路を有する構成とすることができる。また、映像信号に同期した信号として、映像信号の明暗を繰り返す最小単位である画素の開始を示す画素周期同期信号を用いることができる。
【００２１】
ここで、レーザディスプレイ装置の表示原理は、レーザ光の輝度（明暗）をコントロールすることで画像を表示し、レーザ光の強度変調によって階調表現を実現する。従って、映像信号の明暗を繰り返す「最小単位」は、液晶表示装置、プラズマ表示装置、ＥＬ表示装置などのフラットパネルディスプレイにおける画素に相当する。また、「最小単位の周期」は、フラットパネルディスプレイにおける画素周期ということになる。
【００２２】
あるいは又、上述した好ましい構成を含む本開示のレーザ駆動回路、レーザ駆動方法、及び、レーザ光を用いる装置にあっては、高周波重畳部について、映像信号から画素周期同期信号を抽出する画素周期抽出回路を有する構成とすることができる。画素周期抽出回路は、映像信号から抽出した画素周期同期信号を映像信号に同期した信号として発振器に与える。
【００２３】
あるいは又、上述した好ましい構成を含む本開示のレーザ駆動回路、レーザ駆動方法、及び、レーザ光を用いる装置にあっては、高周波重畳部について、映像信号のレベル情報を画素毎に判別してレベル変動を検出するレベル変動検出回路を有する構成とすることができる。レベル変動検出回路は、映像信号の画素毎のレベル変動を検出すると、当該レベル変動に同期した信号を映像信号に同期した信号として発振器に与える。
【００２４】
あるいは又、上述した好ましい構成を含む本開示のレーザ駆動回路、レーザ駆動方法、及び、レーザ光を用いる装置にあっては、高周波重畳部について、任意の、若しくは、高周波信号の周波数（重畳周波数）に連動した発振停止期間を設定する発振停止期間設定回路を有する構成とすることができる。このとき、発振器は、発振停止期間設定回路が設定した発振停止期間の間発振を停止した後に、発振を開始することになる。
【００２５】
あるいは又、上述した好ましい構成を含む本開示のレーザ駆動回路、レーザ駆動方法、及び、レーザ光を用いる装置にあっては、高周波重畳部について、発振器を複数設ける構成とすることができる。このとき、発振位相同期回路は、複数の発振器の発振出力を切り替えることにより、一の発振器の発振停止期間では別の発振器の発振出力を、レーザ駆動電流に重畳する高周波信号として用いる動作を行うことになる。
【００２６】
あるいは又、上述した好ましい構成を含む本開示のレーザ駆動回路、レーザ駆動方法、及び、レーザ光を用いる装置にあっては、高周波重畳部について、入力される映像信号に対して振幅調整を行う増幅／減衰器を複数のレーザ駆動映像電流生成回路に対応して設ける構成とすることができる。このとき、高周波重畳部は、発振停止期間に増幅／減衰器の出力を選択することによって輝度の調整を行うことになる。
【００２７】
あるいは又、上述した好ましい構成を含む本開示のレーザ駆動回路、レーザ駆動方法、及び、レーザ光を用いる装置にあっては、高周波重畳部について、発振器の出力をカウントするカウンタを有する構成とすることができる。このとき、発振器は、カウンタのカウント値が所定の設定値になったときのカウンタの出力を受けて発振を停止する動作を行うことになる。
【００２８】
＜２．本開示が適用されるプロジェクタ装置のシステム構成＞
本開示のレーザ光を用いる装置として、本開示が適用されるプロジェクタ装置、より具体的には、レーザビーム・スキャニング方式のプロジェクタ装置を例示し、以下に、その構成について説明する。
【００２９】
図１は、レーザビーム・スキャニング方式のプロジェクタ装置の構成の一例を示すシステム構成図である。本例に係るプロジェクタ装置１０は、ビデオ信号処理回路１１、レーザ駆動回路１２、光源部１３、スキャナ部１４、受光素子１５、及び、スキャナ駆動回路１６を有する構成となっている。
【００３０】
ビデオ信号処理回路１１は、ビデオ・デコーダ１１１、フレームメモリ１１２、クロック生成部１１３、レーザ制御部１１４、及び、システム制御部１１５によって構成され、入力される映像信号からスキャナ部１４のスキャナ動作に同期し、レーザ光の波長などの特性に応じた映像信号を生成する。このようなレーザを駆動するための映像信号を、本明細書では「投影映像信号」と呼ぶこととする。
【００３１】
ビデオ信号処理回路１１についてより具体的に説明する。ビデオ信号処理回路１１において、入力段のビデオ・デコーダ１１１は、入力される映像信号を光源部１３の各光源の波長に応じた映像信号に変換（色域変換）する。フレームメモリ１１２は、ビデオ・デコーダ１１１から与えられる色域変換後の映像信号を一旦格納する。クロック生成部１１３は、スキャナ部１４のスキャナ動作に同期した投影映像クロック信号を生成する。この投影映像クロック信号は、フレームメモリ１１２及びレーザ制御部１１４に与えられる。
【００３２】
フレームメモリ１１２は、投影映像クロック信号を受けることで、当該投影映像クロック信号に同期して、格納している映像信号を読み出す。これにより、フレームメモリ１１２から読み出される映像信号は、スキャナ部１４のスキャナ動作に同期した映像信号となる。
【００３３】
レーザ制御部１１４は、受光素子１５から与えられるレーザパワーモニタ信号に基づいて、光源部１３の各光源の発光パワーを監視することで、入力される映像信号通りにレーザ光が発光するような投影映像信号を生成する。システム制御部１１５は、ＣＰＵなどによって構成され、本システム全体の制御を司る。
【００３４】
レーザ制御部１１４で生成された投影映像信号は、後述する映像電流制御信号と共に、レーザ駆動回路１２に供給される。レーザ駆動回路１２には、投影映像信号及び映像電流制御信号の他、画素の開始を示す画素周期同期信号が、クロック生成部１１３で生成される投影映像クロック信号と共にビデオ信号処理回路１１から供給される。
【００３５】
レーザ駆動回路１２は、各波長に応じた投影映像信号にしたがって光源部１３の各光源を駆動する。このレーザ駆動回路１２は、本開示の特徴とする部分であり、その基本的な構成や具体的な実施形態については後述する。
【００３６】
光源部１３は、複数の光源、例えば３つの光源を有する。これらの光源としては、赤色（Ｒ）、緑色（Ｇ）、青色（Ｂ）の波長のレーザ光を出射するレーザ光源１３１R，１３１G，１３１Bを用いている。図１では、便宜上、赤色のレーザ光を実線で示し、緑色のレーザ光を一点鎖線で示し、青色のレーザ光を破線で示している。レーザ光源１３１R，１３１G，１３１Bとしては、特に、小型で効率の良い半導体レーザを用いるのが望ましい。
【００３７】
レーザ光源１３１R，１３１G，１３１Bの各出射光は、各々の波長に対応した投影映像信号によって変調される。具体的には、入力される映像信号に応じた画像を表示するためにレーザ光の輝度（明暗）をコントロールするとともに、階調表現を実現するためにレーザ光の強度を変調する。レーザ光源１３１R，１３１G，１３１Bから出射された各レーザ光は、コリメートレンズ１３２R，１３２G，１３２Bによってほぼ平行光にされた後、ビーム・スプリッタ１３３R，１３３G，１３３Bなどによって１本のレーザ光に束ねられる。
【００３８】
この束ねられた１本のレーザ光は、スキャナ部１４に至る光路の途中に配されたビーム・スプリッタ１７によって一部が反射される。この反射されたレーザビームは、受光素子１５に入射する。受光素子１５は、入射するレーザ光を基に、光源部１３の各レーザ光源１３１R，１３１G，１３１Bの発光パワーを示すレーザパワーモニタ信号を出力し、ビデオ信号処理回路１１のレーザ制御部１１４に供給する。
【００３９】
ビーム・スプリッタ１７を通過したレーザ光は、スキャナ部１４に入射する。スキャナ部１４は、例えば、１つの２軸スキャナ１４１を用いて構成されている。入射したレーザ光は、２軸スキャナ１４１によって照射角度に対して水平及び垂直方向に変調が加えられてからスクリーン（図示せず）に投影される。尚、ここでは、スキャナ部１４として、１つの２軸スキャナ１４１で水平・垂直の両方向に走査する例を示しているが、１軸スキャナを２つ用いて水平方向及び垂直方向に走査する構成であってもよい。
【００４０】
通常、スキャナ部１４には、２軸スキャナ１４１などの照射角度を検出するセンサが内蔵されており、当該センサから水平・垂直それぞれの角度信号が出力される。これらの角度信号は、スキャナ駆動回路１６に入力される。
【００４１】
スキャナ駆動回路１６は、駆動回路１６１，１６２、バッファ１６３，１６４、アンプ１６５、及び、位相シフト回路１６６などによって構成され、水平角度信号及び垂直角度信号を参照しつつ、所望の照射角度になるように２軸スキャナ１４１を駆動する。例えば、図２に示すような走査（所謂、ラスター走査）を行う場合、水平方向には正弦波状に駆動する一方、垂直方向には映像信号のフレームレートに同期した、のこぎり波状の波形で駆動する。
【００４２】
（映像信号インターフェースについて）
ここで、ビデオ信号処理回路１１とレーザ駆動回路１２との間の映像信号インターフェースの一例について図３を用いて説明する。
【００４３】
１０ビット階調の映像信号の場合、赤・緑・青の各波長毎に１０本の映像信号が必要となるためそのまま伝送すると、ビデオ信号処理回路１１とレーザ駆動回路１２との間での信号本数が増大する。そこで、伝送本数の削減のために、パラレル／シリアル変換によるデータの多重化が行われる。
【００４４】
図３は、３０本の映像信号を５本に多重化した例を示している。図３において、投影映像信号はビデオ信号処理回路１１から出力される信号で、画素毎の映像信号を１画素の１／６の周期でパラレル／シリアル変換したものである。１つの信号に赤・緑・青の２ビットずつの信号を含んでいるため、５本で３波長分の１０ビット階調信号を伝送することができる。
【００４５】
一方、レーザ駆動回路１２側では、多重化された映像信号から、シリアル／パラレル変換を行い、画素毎の映像信号に分離し、図３に示す投影映像信号（赤・緑・青）を生成する。その際、レーザ駆動回路１２では、１画素の１／６の周期の映像信号クロックと、画素の開始を示す画素周期同期信号が必要となる。そのため、投影映像クロック信号及び画素周期同期信号が投影映像信号と一緒に伝送される。
【００４６】
尚、レーザ駆動回路１２側のパラレル／シリアル変換回路は本開示の技術には直接関係しないため、以降の説明ではパラレル／シリアル変換回路は省略し、投影映像信号は図３に示す、投影映像信号（赤・緑・青）のように、波長毎の画素毎に分離された後の状態になっているものとする。
【００４７】
（スペックルノイズについて）
ところで、レーザを光源とするプロジェクタ装置の課題として、スクリーン上の映像に無数の斑点が見えるスペックルノイズが挙げられる。スペックルノイズは、図４のモデルで説明される。すなわち、プロジェクタ装置から出射されたレーザ光は、スクリーンで反射された後、目に入射して網膜上に結像する。このとき、スクリーンがもつ微小な凹凸によってレーザ光源から網膜上に結像するまでの光路長はランダムに変化する。
【００４８】
レーザ光のような波長・位相が揃ったコヒーレントな光を光源とする場合、光路長の変化に応じて位相の異なる複数の光が目に入射し、それらの光が互いに干渉して強度がランダムに分布する干渉縞が生じる。この干渉縞が、無数に見える斑点、即ち、スペックルノイズである。そして、レーザ光がコヒーレント光であることに起因するスペックルノイズを低減するために為されたのが、本開示の技術である。
【００４９】
＜３．本開示のレーザ駆動回路の基本的な構成＞
続いて、本開示の技術が適用されるレーザ駆動回路の基本的な構成について説明する。図５は、図１に示すレーザビーム・スキャニング方式のプロジェクタ１０に用いられるレーザ駆動回路１２、即ち、本開示の技術が適用されるレーザ駆動回路の基本的な構成を示すブロック図である。
【００５０】
前にも述べたように、光源として、通常、赤色、緑色、青色の三種類のレーザ光源１３１R，１３１G，１３１Bが用いられる。これに対応して、レーザ駆動回路１２は、光源の数に応じた３つの駆動部１２０R，１２０G，１２０Bを備える。また、先述したように、スキャナ部１４のスキャナ１４１の動きに同期した、三種類のレーザ光の各波長に応じた投影映像信号が、レーザ駆動回路１２に入力される。
【００５１】
駆動部１２０R，１２０G，１２０Bは、レーザ駆動映像電流生成回路１２１R，１２１G，１２１B及びベース電流生成回路１２２R，１２２G，１２２Bを有する構成となっている。ここでは、赤色のレーザ駆動映像電流生成回路１２１R及びベース電流生成回路１２２Rの構成について具体的に説明するが、緑色、青色のレーザ駆動映像電流生成回路１２１G，１２１B及びベース電流生成回路１２２G，１２２Bの各構成についても同様である。
【００５２】
レーザ駆動映像電流生成回路１２１Rは、入力される投影映像信号を、レーザ光の発光に必要な電流値まで増幅し、赤色のレーザ光源１３１Rを駆動するレーザ駆動電流として出力する。ここで、レーザ駆動回路１２に入力される投影映像信号は、アナログ信号であってもよいし、デジタル信号であってもよい。
【００５３】
投影映像信号がデジタル信号で入力される場合は、レーザ駆動映像電流生成回路１２１Rとして、デジタル信号をアナログ信号に変換するデジタル／アナログ変換機能を有する回路を用いることになる。その際、ビデオ信号処理回路１１からレーザ駆動回路１２に与えられる映像電流制御信号が、デジタル／アナログ変換におけるフルスケール電流を制御する。
【００５４】
尚、図５では、レーザ光源１３１R，１３１G，１３１Bである例えば半導体レーザのアノードに電流を流し込む回路構成となっているが、カソードから電流を引き込む回路構成であってもよい。いずれの回路構成を採るかは任意である。
【００５５】
ところで、半導体レーザは、図６に示すような電流−光出力特性をもっており、閾値電流までは光パワーは出力されない。ベース電流生成回路１２２Rは、図６に示すように、レーザ光源１３１Rに対して閾値電流分を供給することに用いられる。このように、ベース電流生成回路１２２Rからレーザ光源１３１Rに閾値電流分を供給することにより、レーザ駆動映像電流生成回路１２１Rのダイナミックレンジを有効に使うことができる。
【００５６】
尚、ベース電流生成回路１２２Rの有無については本開示の技術とは直接関係しないので、図面などの簡略化のために、以降、実施形態の説明及び図面ではベース電流生成回路１２２Rについては省略するものとする。
【００５７】
上記構成のレーザ駆動回路１２において、本開示では、レーザ駆動映像電流生成回路１２１R，１２１G，１２１Bで生成するレーザ駆動電流に対して、映像信号の帯域を超える周波数の高周波信号を重畳することを特徴としている。
【００５８】
高周波信号を重畳するに当たっては、図７に示すように、半導体レーザの閾値電流をまたぐような振幅で変調をかけることになる。図８に、レーザ駆動電流に高周波信号を重畳することによるレーザ出力光の波長スペクトラムの変化を示す。半導体レーザは、本来、図８の（Ａ）に示すように、単一モード（シングルモード）で発振する。この場合、レーザ光の可干渉性は強い（高い）。
【００５９】
これに対し、レーザ駆動電流に高周波信号を重畳することにより、図８の（Ｂ）に示すように、レーザは多くの波長成分を含む多モード（マルチモード）で発振する。この場合、レーザ光の可干渉性は弱くなる（下がる）。一般に、レーザ駆動電流に重畳する高周波信号の振幅が大きくなるほど、波長スペクトラムはより広くなる傾向にある。
【００６０】
上述したように、入力される映像信号に基づくレーザ駆動電流に高周波信号を重畳し、この高周波信号を重畳したレーザ駆動電流によってレーザ光源を駆動することにより、レーザ光源から出射されるレーザ光の波長スペクトラムが広がるため可干渉性が下がる。その結果、レーザ光がコヒーレント光であることに起因するスペックルノイズを低減することができる。
【００６１】
（高周波信号と投影映像信号の混変調に伴う折返しについて）
ところで、レーザ駆動電流に重畳する高周波信号と投影映像信号とが非同期だと、高周波信号と投影映像信号の混変調に伴う折返し成分が生じ、画質を損なう懸念がある。この折返しについてより具体的に説明する。
【００６２】
ここで、理解を容易にするために、投影映像信号の明暗を繰り返す最小単位を「画素単位」と呼ぶこととする。画素単位で明暗を繰り返す投影映像信号に、当該投影映像信号と非同期の高周波信号を重畳したときのレーザ駆動電流の例を図９に示す。この例は、１画素区間に対して、高周波信号が２．７５周期の場合の例である。
【００６３】
入力される投影映像信号は、明区間ですべて同一のレベルを持っている。高周波信号によるレーザ光の発光は３回と２．５回を繰り返しており、明区間は一つおきに輝度変化を生じてしまっている。図９のレーザ駆動電流の波形において、破線は平均電流を表わしており、その平均電流の差が輝度差となる。
【００６４】
これは、画素周波数をｆvとしたとき、高周波信号の周波数ｆvがｆv＝５．５×ｆvの例であるが、画素周波数の５倍の高調波：５×ｆvと高周波信号周波数：５．５×ｆvの差成分の折返しとみなすことができる。
【００６５】
輝度変化として生じる折返しは、１画素区間の発光回数の変化に起因する。従って、画素周波数と高周波信号の周波数とを同期させるか、１画素内の高周波信号の位相を一致させることによって、輝度変化を低減させることができる。かかる点に鑑みて為されたのが、本開示のレーザ駆動回路である。
【００６６】
ところで、レーザ駆動電流に高周波信号を重畳する処理としては、レーザ駆動映像電流生成回路１２１R，１２１G，１２１Bの入力側で行う処理と、複数のレーザ駆動映像電流生成回路１２１R，１２１G，１２１Bの出力側で行う処理とが考えられる。
【００６７】
以下に、入力側で行う構成に関して第１実施形態として、出力側で行う構成に関して第２実施形態として説明を行うものとする。また、レーザ駆動電流に重畳する高周波信号を投影映像信号に同期させるための具体的な実施例については、第１実施形態の各実施例として説明を行うものとする。
【００６８】
＜４．第１実施形態＞
第１実施形態では、複数のレーザ駆動映像電流生成回路１２１R，１２１G，１２１Bの入力側において、レーザ駆動電流に高周波信号を重畳する処理を行う。具体的には、これらレーザ駆動映像電流生成回路１２１R，１２１G，１２１Bに入力する映像信号（投影映像信号）を高周波信号に応じてスイッチングする。
【００６９】
尚、第１実施形態では、レーザ駆動電流に重畳する、映像信号の帯域を超える周波数の高周波信号の信号源として、当該レーザ駆動回路１２Aに内蔵の発振器（以下、「重畳信号発振器」と記述する）を用いる構成を採る。この点については、第２実施形態においても同様である。
【００７０】
［４−１．実施例１］
図１０は、第１実施形態の実施例１に係るレーザ駆動回路の構成を示すブロック図である。実施例１に係るレーザ駆動回路１２Aは、レーザ駆動映像電流生成回路１２１R，１２１G，１２１Bに加えて、重畳信号発振器１２３と、２入力１出力のスイッチ（以下、「映像信号スイッチ」と記述する）１２４R，１２４G，１２４Bとを備えている。
【００７１】
重畳信号発振器１２３及び映像信号スイッチ１２４R，１２４G，１２４Bは、レーザ駆動映像電流生成回路１２１R，１２１G，１２１Bが生成するレーザ駆動電流に対して高周波信号を重畳する高周波重畳部を構成している。レーザ駆動回路におけるレーザ駆動映像電流生成回路、発振器（重畳信号発振器）、及び、高周波重畳部は、本開示のレーザ駆動方法にあっては、レーザ駆動映像電流生成ステップ、発振ステップ、及び、高周波重畳ステップということになる。以下に説明する各実施例においても同様である。
【００７２】
重畳信号発振器１２３は、入力される投影映像信号に同期した信号に応じて当該発振器１２３の発振停止／発振開始を制御する発振位相同期回路１２５を有する。入力される投影映像信号に同期した信号としては、画素の開始を示す画素周期同期信号を用いる。
【００７３】
画素周期同期信号は、前に述べた映像信号インターフェース（図３参照）において、ビデオ信号処理回路１１からレーザ駆動回路１２に対して、投影映像信号や投影映像クロック信号と一緒に伝送される信号である。
【００７４】
発振位相同期回路１２５が重畳信号発振器１２３に対して、入力される画素周期同期信号に応じて発振停止／発振開始の制御を行うことで、レーザ駆動電流に重畳する高周波信号（以下、「高周波重畳信号」と記述する場合もある）の発振停止／発振開始が画素周期に同期する。
【００７５】
映像信号スイッチ１２４R，１２４G，１２４Bは、入力される投影映像信号を一方の入力とし、所定の電位、例えば接地（ＧＮＤ）レベルを他方の入力とする。これにより、映像信号スイッチ１２４R，１２４G，１２４Bは、重畳信号発振器１２３から与えられる高周波信号に応じて、投影映像信号と接地レベルとの間でスイッチングすることになる。その結果、図１１に示すように、投影映像信号の信号レベルの振幅の高周波信号が投影映像信号、ひいては、レーザ駆動電流に重畳されることになる。
【００７６】
図１２は、実施例１における投影映像信号の画素周期に発振停止／発振開始が同期した高周波信号を重畳したレーザ駆動電流の例を示すタイミング波形図である。この例は、投影映像信号が１画素毎に明暗を繰り返す場合の例である。画素周期と重畳周期とは同期していないが、高周波重畳信号の発振停止／発振開始が画素周期に同期しているので、レーザ駆動電流の平均電流が画素毎に一致する。
【００７７】
これにより、レーザ駆動電流に重畳する高周波信号と投影映像信号とが非同期の場合にみられた、レーザ駆動電流の平均電流の差である輝度差が生じないため、輝度変化として生じる、投影映像信号と高周波信号の混変調に伴う折返し成分を抑えることができる。従って、折返し成分による画質劣化を回避しつつ、レーザ光がコヒーレント光であることに起因するスペックルノイズを低減することができる。
【００７８】
（発振位相同期回路を有する重畳信号発振器）
発振位相同期回路１２５を有する重畳信号発振器１２３の構成の一例を図１３に示す。図１３に示すように、重畳信号発振器１２３は、インバータ１２３1、インバータ１２３2、及び、ＮＯＲゲート１２３3がリング状に接続され、発振周波数制御信号で遅延量が制御可能な遅延回路３段の構成のゲーティドリングオシレータである。
【００７９】
この重畳信号発振器１２３において、ＮＯＲゲート１２３3が発振位相同期回路１２５としての機能を持つ。このＮＯＲゲート１２３3に画素周期同期信号を発振位相同期信号として入力する。これにより、画素周期同期信号のアクティブ期間（高レベル区間）で発振出力が低レベルとなり、重畳信号発振器１２３が発振を停止する。また、画素周期同期信号が非アクティブ（低レベル）になると、重畳信号発振器１２３が発振を開始する。
【００８０】
［４−２．実施例２］
図１４は、第１実施形態の実施例２に係るレーザ駆動回路の構成を示すブロック図である。実施例２に係るレーザ駆動回路１２Bは、レーザ駆動映像電流生成回路１２１R，１２１G，１２１B、重畳信号発振器１２３、及び、映像信号スイッチ１２４R，１２４G，１２４Bに加えて、画素周期抽出回路１２６を備える構成となっている。
【００８１】
画素周期抽出回路１２６は、レーザ駆動回路１２Bに入力される投影映像信号から画素周期に同期した信号、即ち、画素周期同期信号を抽出し、当該画素周期同期信号を投影映像信号に同期した信号として重畳信号発振器１２３、具体的には、発振位相同期回路１２５に与える。画素周期抽出回路１２６については、周知のクロックリカバリ回路などを用いて構成することができる。
【００８２】
実施例２の構成によれば、投影映像信号に画素周期に同期した何らかの信号が含まれていれば、画素周期抽出回路１２６によって画素周期同期信号を抽出することができる。具体的には、投影映像信号に画素毎に切り替わる何らかの信号が含まれていれば、その情報を抽出し、当該情報を基にクロックリカバリ回路内のリファレンスクロックを同期させることで、画素周期同期信号を抽出することができる。
【００８３】
そして、画素周期抽出回路１２６が抽出した画素周期同期信号を重畳信号発振器１２３内の発振位相同期回路１２５に与えることで、投影映像信号に画素周期に発振停止／発振開始が同期した高周波信号を、レーザ駆動電流に重畳することができる。
【００８４】
図１５は、実施例２における投影映像信号の画素周期に発振停止／発振開始が同期した高周波信号を重畳したレーザ駆動電流の例を示すタイミング波形図である。実施例２の場合にも、実施例１の場合と同様に、レーザ駆動電流の平均電流が画素毎に一致する。従って、レーザ駆動電流の平均電流の差である輝度差が生じないため、折返し成分による画質劣化を回避しつつ、レーザ光がコヒーレント光であることに起因するスペックルノイズを低減することができる。
【００８５】
［４−３．実施例３］
折返しは、画素周期と高周波信号の周期の非同期によって生じる。ここで、プロジェクタ装置において、映像信号の明暗を繰り返す最小単位、即ち、１画素は、隣接する画に対して輝度が変化することによって初めて画素として識別され、輝度が変化しなければ１画素として認識されない。そのため、画素周期ではなく、輝度が変化する周期と高周波信号の周期が非同期の場合に、折返しが発生する可能性がある。この点に鑑みて為されたのが、以下に説明する実施例３に係るレーザ駆動回路である。
【００８６】
図１６は、第１実施形態の実施例３に係るレーザ駆動回路の構成を示すブロック図である。実施例２に係るレーザ駆動回路１２Cは、レーザ駆動映像電流生成回路１２１R，１２１G，１２１B、重畳信号発振器１２３、及び、映像信号スイッチ１２４R，１２４G，１２４Bに加えて、レベル変動検出回路１２７を備える構成となっている。
【００８７】
レベル変動検出回路１２７は、投影映像信号のレベル情報を画素毎に判別してレベル変動を検出し、当該レベル変動に同期した信号を映像信号に同期した信号として重畳信号発振器１２３、具体的には、発振位相同期回路１２５に与える。
【００８８】
図１６に示すように、レベル変動検出回路１２７は、例えば、ＲＧＢの投影映像信号に対応したエッジ検出器１２７1R，１２７1G，１２７1Bと、ＯＲゲート１２７2とから成り、各波長毎の輝度変化をエッジとして検出するエッジ検出回路の構成となっている。このエッジ検出回路にあっては、各波長毎の輝度変化をエッジ検出器１２７1R，１２７1G，１２７1Bで検出し、ＯＲゲート１２７2によって各波長毎の検出結果の論理和をとるようにしている。
【００８９】
このように、投影映像信号のレベル変動（輝度変動）に同期した信号を重畳信号発振器１２３内の発振位相同期回路１２５に与えることにより、輝度が変化する周期に発振停止／発振開始が同期した高周波信号を、レーザ駆動電流に重畳することができる。これにより、輝度が変化する周期と高周波信号の周期が非同期の場合のような折返しを抑えることができる。
【００９０】
図１７は、実施例３における投影映像信号の画素周期に発振停止／発振開始が同期した高周波信号を重畳したレーザ駆動電流の例を示すタイミング波形図である。実施例２の場合と異なり、投影映像信号の変化点のエッジを検出したものである。
【００９１】
ここで、１画素の平均輝度は、高周波信号重畳の停止期間の輝度に依存してしまうため、当該停止期間の回数は少ない方が望ましい。従って、実施例３のように、輝度変化が生じたときのみ重畳信号発振器１２３の発振を停止することで、当該制限を設けない場合に比べて停止期間の回数を低減することができる。また、実施例３によれば、実施例２のように、クロックリカバリ回路等から成る画素周期抽出回路１２６が必要ないため、簡単な回路構成にて所期の目的を達成できる利点もある。
【００９２】
［４−４．実施例４］
図１８は、第１実施形態の実施例４に係るレーザ駆動回路の構成を示すブロック図である。実施例４に係るレーザ駆動回路１２Dは、レーザ駆動映像電流生成回路１２１R，１２１G，１２１B、重畳信号発振器１２３、及び、映像信号スイッチ１２４R，１２４G，１２４Bに加えて、発振停止期間設定回路１２８を備える構成となっている。
【００９３】
発振停止期間設定回路１２８は、外部から与えられる発振停止期間制御信号に応じて、画素周期同期信号に同期して発振停止期間を任意に設定し、この設定した発振停止期間に重畳信号発振器１２３に対して発振停止信号を与える。すなわち、本例に係る発振停止期間設定回路１２８は、外部から与えられる発振停止期間制御信号に応じて任意に発振停止期間を設定する構成となっている。重畳信号発振器１２３は、発振停止期間設定回路１２８から発振停止信号が与えられると、その期間発振を停止する。
【００９４】
ここで、１画素の平均輝度は、高周波信号重畳の停止期間の輝度に依存してしまうため、当該停止期間は短い方が望ましい。しかし、重畳信号発振器１２３が発振を停止するまでに要する時間は、高周波信号の周波数やプロセスバラツキ等により変動するため、発振停止期間の調整が必要となる。
【００９５】
［４−５．実施例５］
図１９は、第１実施形態の実施例５に係るレーザ駆動回路の構成を示すブロック図である。実施例５に係るレーザ駆動回路１２Eは、基本的に、実施例４に係るレーザ駆動回路１２Dと同様の構成となっている。
【００９６】
実施例４に係るレーザ駆動回路１２Dと異なるのは、発振停止期間設定回路１２８が設定する発振停止期間が、高周波信号の周波数に連動する構成となっている点である。すなわち、発振停止期間設定回路１２８は、発振周波数の制御のために外部から重畳信号発振器１２３に与えられる発振周波数制御信号に応じて、画素周期同期信号に同期して発振停止期間を設定する構成となっている。
【００９７】
図２０は、実施例５における投影映像信号の画素周期に発振停止／発振開始が同期した高周波信号を重畳したレーザ駆動電流の例を示すタイミング波形図である。この例は、発振停止期間が高周波重畳信号の低レベル区間と等しい場合の例となっている。図２０のように、発振停止期間を高周波重畳信号の低レベル区間と等しくすることで、周波数やプロセスに依らず、重畳信号発振器１２３が確実に停止状態になる時間を確保できる。また、図２０に示すレーザ駆動電流波形は、画素の切替りで低レベルから発振開始した高周波重畳波形と同等となる。ここで、高周波信号の低レベルと高レベルは容易に反転可能であり、レベル反転後の波形は発振停止期間が無く、高レベルから発振開始した高周波重畳波形と同等となる。
【００９８】
［４−６．実施例６］
図２１は、第１実施形態の実施例６に係るレーザ駆動回路の構成を示すブロック図である。実施例６に係るレーザ駆動回路１２Fは、実施例１に係るレーザ駆動回路１２Aの構成を基本とした上で、重畳信号発振器１２３を複数有する、例えば２つの重畳信号発振器１２３A，１２３Bを有する構成となっている。
【００９９】
レーザ駆動回路１２Fは更に、２つの重畳信号発振器１２３A，１２３Bの入力側に分周器１５１及びインバータ１５２を有し、出力側にＯＲゲート１５３を有する構成となっている。分周器１５１は、外部から与えられる画素周期同期信号を例えば１／２に分周し、一方の重畳信号発振器１２３Aに直接、他方の重畳信号発振器１２３Bにインバータ１５２を介して供給する。ＯＲゲート１５３は、２つの重畳信号発振器１２３A，１２３Bから出力される高周波重畳信号１，２を合成して映像信号スイッチ１２４R，１２４G，１２４Bに供給する。
【０１００】
すなわち、実施例６に係るレーザ駆動回路１２Fは、複数の発振器を有し、これら複数の発振器の発振出力を切り替えることにより、一の発振器の発振停止期間では別の発振器の発振出力を、レーザ駆動電流に重畳する高周波信号として用いることとなる。本例の場合、画素周期同期信号を分周した信号に基づいて、２つの重畳信号発振器１２３A，１２３Bの発振を交互に停止するようになっている。
【０１０１】
図２２は、実施例６における投影映像信号の画素周期に発振停止／発振開始が同期した高周波信号を重畳したレーザ駆動電流の例を示すタイミング波形図である。この例の場合は、高周波重畳信号１と高周波重畳信号２の合成信号である高周波重畳信号は、発振停止期間の無い波形となっている。
【０１０２】
［４−７．実施例７］
上述した実施例１乃至実施例５では、高周波信号の重畳停止期間のレーザ駆動電流はＯＦＦか、高周波重畳信号を論理反転した場合でもＯＮに固定されてしまう。この場合、高周波信号の重畳停止期間、即ち、重畳信号発振器１２３の発振停止期間に依存して平均輝度が変動してしまうため、画質が劣化する懸念がある。この点に鑑みて為されたのが、以下に説明する実施例７に係るレーザ駆動回路である。
【０１０３】
図２３は、第１実施形態の実施例７に係るレーザ駆動回路の構成を示すブロック図である。実施例７に係るレーザ駆動回路１２Gは、実施例１に係るレーザ駆動回路１２Aの構成を基本とした上で、入力される投影映像信号に対して振幅調整を行う、各波長に対応した複数の増幅／減衰器１７１R，１７１G，１７１Bを有する構成となっている。
【０１０４】
レーザ駆動回路１２Gは更に、映像信号スイッチ１２４R，１２４G，１２４Bの後段に映像信号スイッチ１７２R，１７２G，１７２Bを有し、映像信号スイッチを２段構成としている。映像信号スイッチ１７２R，１７２G，１７２Bは、増幅／減衰器１７１R，１７１G，１７１Bで振幅調整された投影映像信号と、映像信号スイッチ１２４R，１２４G，１２４Bの出力信号とを２入力としている。そして、映像信号スイッチ１７２R，１７２G，１７２Bは、画素周期同期信号に応じて、重畳信号発振器１２３の発振停止期間に、増幅／減衰器１７１R，１７１G，１７１Bで振幅調整された投影映像信号を選択する。
【０１０５】
このように、高周波信号の重畳停止期間、即ち、重畳信号発振器１２３の発振停止期間に、増幅／減衰器１７１R，１７１G，１７１Bで振幅調整（輝度調整）された投影映像信号を出力するようにすることで、発振停止期間に依存する平均輝度の変動を抑えることができる。
【０１０６】
図２４は、実施例７における投影映像信号の画素周期に発振停止／発振開始が同期した高周波信号を重畳したレーザ駆動電流の例を示すタイミング波形図である。高周波信号の重畳停止期間（発振停止期間）に投影映像信号の１／２の電流を出力することで、１画素の平均輝度の変動を低減することができる。
【０１０７】
［４−８．実施例８］
上述した実施例１乃至実施例６では、高周波信号の重畳停止のタイミングが、高周波信号の周期に同期していないため、発振停止時の高周波信号の波形が変形する懸念がある。特に、重畳信号発振器１２３の発振出力の波形が極端に細く（狭く）なってしまった場合に、入力信号のジッタ等の影響を受けやすく、波形出力が不安定になり、映像劣化につながる懸念がある。この点に鑑みて為されたのが、以下に説明する実施例８に係るレーザ駆動回路である。
【０１０８】
図２５は、第１実施形態の実施例８に係るレーザ駆動回路の構成を示すブロック図である。実施例８に係るレーザ駆動回路１２Hは、実施例７に係るレーザ駆動回路１２Gの構成を基本とした上で、重畳信号発振器１２３の後段に、カウンタ１７３及びＯＲゲート１７４を有する構成となっている。
【０１０９】
カウンタ１７３は、画素周期同期信号に同期して、重畳信号発振器１２３の出力をカウントする、即ち、高周波重畳信号の周波数でカウント動作を行う。ＯＲゲート１７４は、カウンタ１７３のカウント出力と画素周期同期信号との論理和をとり、その出力を映像信号スイッチ１７２R，１７２G，１７２Bにその切替え信号として供給するとともに、発振位相同期回路１２５にその制御信号として供給する。
【０１１０】
上記の構成の実施例８に係るレーザ駆動回路１２Hでは、カウンタ１７３のカウント出力と画素周期同期信号との論理和の結果を基に、重畳信号発振器１２３の発振停止／発振開始の制御が行われる。これにより、重畳信号発振器１２３の発振停止を高周波信号の周期に同期させ、発振開始を画素周期に同期させることになる。
【０１１１】
図２６は、実施例８における投影映像信号の画素周期に発振停止／発振開始が同期した高周波信号を重畳したレーザ駆動電流の例を示すタイミング波形図である。
【０１１２】
重畳信号発振器１２３の出力をカウントするカウンタ１７３のカウント値が設定値に至る画素周期以内とすることで、画素周期内で重畳信号発振器１２３の発振停止を制御する制御信号（カウンタ信号）を生成することができる。
【０１１３】
図２６では、カウンタ値（設定値）を４回に設定しており、高周波重畳信号の４回目の立ち上がりでカウンタ１７３がカウンタ信号を出力し、画素周期でカウンタ１７３がリセットされる。カウンタ１７３のリセット後も画素周期同期信号により、重畳信号発振器１２３が発振を停止しており、画素周期に同期した立ち下りタイミングで重畳信号発振器１２３が発振を開始する。カウント値を最適な値に設定することで、画素の切替わり時に高周波信号が重畳されていない安定したレーザ駆動電流の波形を得ることができる。
【０１１４】
ここで、図２６の例では、増幅／減衰器１７１R，１７１G，１７１Bを１／２に設定し、重畳停止期間に出力することにより、重畳停止期間も平均駆動電流が映像信号の１／２を保持できる構成にしている。
【０１１５】
尚、図２６の例では、画素周期同期信号とカウンタ信号で共通の増幅／減衰器１７１R，１７１G，１７１Bを用いているが、それぞれ別の増幅／減衰器を備え、画素の開始と終了時のパワーを調整することで、より正確に輝度をコントロールできる。また、増幅／減衰器１７１R，１７１G，１７１Bを備えずに、画素周期同期信号で重畳信号発振器１２３の発振を停止し、カウンタ信号で重畳信号発振器１２３の発振を開始する構成を採ることも可能である。
【０１１６】
以上説明した実施例１乃至実施例８では、レーザ駆動映像電流生成回路１２１R，１２１G，１２１Bに加えて、基本的に、重畳信号発振器１２３と、映像信号スイッチ１２４R，１２４G，１２４Bとを備えるレーザ駆動回路に適用する場合について説明した。但し、本開示の技術は、当該構成のレーザ駆動回路への適用に限られるものではない。
【０１１７】
［４−９．他の適用例］
図２７は、第１実施形態の他の適用例に係るレーザ駆動回路の構成を示すブロック図である。
【０１１８】
本適用例に係るレーザ駆動回路１２Iは、レーザ駆動映像電流生成回路１２１R，１２１G，１２１B毎にそれらの入力側に、映像信号スイッチ１２４R，１２４G，１２４Bに加えて、複数（本例では、２つ）の増幅／減衰器１７５A，１７５Bを備える構成となっている。
【０１１９】
ここでは、赤色側の２つの増幅／減衰器１７５A-R，１７５B-R、映像信号スイッチ１２４Rの機能について具体的に説明する。但し、緑色側の増幅／減衰器１７５A-G，１７５B-G、映像信号スイッチ１２４Gの機能、及び、青色側の増幅／減衰器１７５A-B，１７５B-B、映像信号スイッチ１２４Bの機能についても同様である。
【０１２０】
２つの増幅／減衰器１７５A-G，１７５B-Gは、各々異なる利得をもち、入力される投影映像信号を基に振幅が異なる２つの投影映像信号を生成する。この２つの投影映像信号は、映像信号スイッチ１２４Rの２入力となる。映像信号スイッチ１２４Rは、重畳信号発振器１２３から与えられる高周波信号に応じて、２つの増幅／減衰器１７５A-G，１７５B-Gが生成した２つの投影映像信号を選択（スイッチング）する。
【０１２１】
上記の構成により、映像信号スイッチ１２４Rは、重畳信号発振器１２３が出力する高周波信号のＨ／Ｌに応じて、振幅の異なる２つの投影映像信号を選択することができる。ここで、Ｈは高周波信号の高レベルを意味し、Ｌは高周波信号の低レベルを意味する。例えば、２つの増幅／減衰器１７５A-G，１７５B-Gの一方の利得を２倍、他方の利得を０倍とした場合、図２８に示すような、高周波信号が重畳された投影映像信号が生成され、レーザ駆動映像電流生成回路１２１Rに入力される。
【０１２２】
レーザ駆動映像電流生成回路１２１Rは、高周波信号が重畳された投影映像信号を、レーザ光源１３１Rの駆動に必要な電流値まで増幅し、レーザ駆動電流としてレーザ光源１３１Rに供給する。このとき、レーザ駆動電流は、高周波信号が重畳された電流としてレーザ光源１３１Rに供給され、当該レーザ光源１３１Rを駆動する。
【０１２３】
レーザ駆動電流に重畳される高周波信号の振幅は、２つの増幅／減衰器１７５A-G，１７５B-Gの利得によって任意に設定することができる。別の例として、２つの増幅／減衰器１７５A-G，１７５B-Gの一方の利得を１．７５倍、他方の利得を０．２５倍とした場合には、図２９に示すような、図２８の場合に比べて高周波信号の振幅を小さくした投影映像信号、ひいては、レーザ駆動電流を生成することができる。
【０１２４】
上述したように、本適用例に係るレーザ駆動回路１２Iによれば、図２８や図２９に示すように、その振幅が投影映像信号のレベルに比例するような高周波信号をレーザ駆動電流に重畳することができる。これにより、投影映像信号のレベルがゼロの部分では、レーザ駆動電流に重畳する高周波信号の振幅もゼロとなるため、輝度がゼロとなるべき部分でレーザ光が発光してしまうというような不具合を回避できる。また、投影映像信号のレベルがゼロの状態では、レーザ光が発光していないことから、スペックルノイズの問題は起こらない。従って、レーザ駆動電流に対する高周波信号の重畳処理は不要である。
【０１２５】
一方、投影映像信号のレベルが大きくなるほどスペックルノイズが目立つようになる。それに対しては、投影映像信号のレベルが大きくなるほど、レーザ駆動電流に重畳する高周波信号の振幅も大きくなり、スペックルノイズを低減する効果を強める（高める）ように作用する。
【０１２６】
本適用例に係るレーザ駆動回路１２Iにおける重畳信号発振器１２３に対しても、レーザ駆動電流に重畳する高周波信号を投影映像信号に同期させる、先述した実施例１乃至実施例８を適用することができる。そして、その適用により、適用例に係る作用、効果に加えて、実施例１乃至実施例８に係る作用、効果を得ることができる。
【０１２７】
以上では、レーザ駆動電流に高周波信号を重畳する処理を、レーザ駆動映像電流生成回路１２１R，１２１G，１２１Bの入力側で行う構成のレーザ駆動回路１２に適用した場合を第１実施形態として説明した。本開示の技術は、レーザ駆動電流に高周波信号を重畳する処理を、レーザ駆動映像電流生成回路１２１R，１２１G，１２１Bの出力側で行う構成のレーザ駆動回路１２に対しても同様に適用可能である。
【０１２８】
＜５．第２実施形態＞
以下に、レーザ駆動電流に高周波信号を重畳する処理を、レーザ駆動映像電流生成回路１２１R，１２１G，１２１Bの出力側で行う構成のレーザ駆動回路１２に適用する場合を第２実施形態として、各種の適用例に係るレーザ駆動回路１２について説明する。
【０１２９】
［５−１．適用例１］
図３０は、第２実施形態の適用例１に係るレーザ駆動回路の構成を示すブロック図である。本適用例１に係るレーザ駆動回路１２Jは、高周波重畳部として、内蔵の重畳信号発振器１２３の他に、レーザ駆動映像電流生成回路１２１R，１２１G，１２１B毎にそれらの出力側に、レーザ駆動電流スイッチ１８１（１８１R，１８１G，１８１B）を備えた構成となっている。レーザ駆動電流スイッチ１８１R，１８１G，１８１Bは、レーザ駆動映像電流生成回路１２１R，１２１G，１２１Bが生成したレーザ駆動電流を通過／遮断する機能をもつ。
【０１３０】
上述した構成のレーザ駆動回路１２Jにおいて、レーザ駆動電流スイッチ１８１の通過／遮断の制御を、重畳信号発振器１２３から与えられる高周波信号に応じて行うことで、当該高周波信号をレーザ駆動映像電流生成回路１２１R，１２１G，１２１Bが生成したレーザ駆動電流に重畳することができる。
【０１３１】
この場合にも、第１実施形態の他の適用例の場合と同様に、その振幅が投影映像信号のレベルに比例するように高周波信号をレーザ駆動電流に重畳することができる（図２８参照）。その結果、第１実施形態の他の適用例の場合と同様の作用、効果を得ることができる。すなわち、投影映像信号のレベルがゼロの部分では、レーザ駆動電流に重畳する高周波信号の振幅もゼロとなり、また、投影映像信号のレベルが大きくなるほど、レーザ駆動電流に重畳する高周波信号の振幅も大きくなるため、スペックルノイズを低減する効果を強めることができる。
【０１３２】
［５−２．適用例２］
図３１は、第２実施形態の適用例２に係るレーザ駆動回路の構成を示すブロック図である。本適用例２に係るレーザ駆動回路１２Kは、高周波重畳部として、内蔵の重畳信号発振器１２３の他に、当該重畳信号発振器１２３から与えられる高周波信号を増幅するレーザ駆動重畳電流生成回路１８２（１８２R，１８２G，１８２B）を備えた構成となっている。このレーザ駆動重畳電流生成回路１８２R，１８２G，１８２Bは、その出力端がレーザ駆動映像電流生成回路１２１R，１２１G，１２１Bの出力側の接続ノードＮR，ＮG，ＮBに接続されている。
【０１３３】
上述した構成のレーザ駆動回路１２Kにおいて、重畳信号発振器１２３から出力される高周波信号は、レーザ駆動重畳電流生成回路１８２R，１８２G，１８２Bによってレーザ光源１３１R，１３１G，１３１Bの駆動に必要なレベルまで増幅される。そして、レーザ駆動重畳電流生成回路１８２R，１８２G，１８２Bから出力される高周波電流は、レーザ駆動映像電流生成回路１２１R，１２１G，１２１Bの出力電流、即ち、レーザ駆動電流と接続ノードＮR，ＮG，ＮBで加算され、レーザ光源１３１R，１３１G，１３１Bに供給される。
【０１３４】
本適用例２に係るレーザ駆動回路１２Kの場合には、投影映像信号のレベルによらず、一定の振幅の高周波電流がレーザ駆動電流に重畳される。これにより、高周波信号の振幅が投影映像信号のレベルに比例するように重畳される場合のような効果は得られないものの、高周波重畳による効果、即ち、レーザ光の波長スペクトラムが広がり、可干渉性が下がることによるスペックルノイズの低減効果を得ることができる。
【０１３５】
［５−３．適用例３］
図３２は、第２実施形態の適用例３に係るレーザ駆動回路の構成を示すブロック図である。本適用例３に係るレーザ駆動回路Lは、高周波重畳部として、内蔵の重畳信号発振器１２３、レーザ駆動重畳電流生成回路１８２の他に、レベル比較器１８３及び重畳電流スイッチ１８４をレーザ駆動映像電流生成回路１２１R，１２１G，１２１B毎に備えた構成となっている。
【０１３６】
レベル比較器１８３（１８３R，１８３G，１８３B）は、入力される投影映像信号のレベルの、所定の閾値に対する大小を判定する機能をもつ。所定の閾値は、投影映像信号レベルの判定閾値であり、投影映像信号のゼロレベルの近傍の値に設定される。ここで、「ゼロレベルの近傍」とは、ゼロレベルを多少前後するレベルの他、ゼロレベルも含む。投影映像信号のゼロレベルの検出に当たって、所定の閾値について、設計上あるいは製造上生ずる種々のばらつきの存在は許容される。
【０１３７】
重畳電流スイッチ１８４R，１８４G，１８４Bは、レーザ駆動重畳電流生成回路１８２R，１８２G，１８２Bの出力端と、レーザ駆動映像電流生成回路１２１R，１２１G，１２１Bの出力端との間に接続されている。重畳電流スイッチ１８４R，１８４G，１８４Bは、レベル比較器１８３R，１８３G，１８３Bの比較結果（判定結果）に応じてオン（閉）／オフ（開）動作を行う。
【０１３８】
上述した構成のレーザ駆動回路１２Lにおいて、レベル比較器１８３は、映像信号のレベルが、所定の閾値を超えると判定すると、その判定結果によって重畳電流スイッチ１８４を導通（オン）状態にする。これにより、レーザ駆動重畳電流生成回路１８２から出力される高周波電流が重畳電流スイッチ１８４を通過し、レーザ駆動映像電流生成回路１２１から出力されるレーザ駆動電流に加算（重畳）される。
【０１３９】
本適用例３に係るレーザ駆動回路１２Lによれば、高周波重畳による効果に加えて、レベル比較器１８３の作用により、投影映像信号のレベルがゼロ（所定の閾値以下）であることを検出したときに、高周波信号をレーザ駆動電流に重畳しないようにすることができる。その結果、投影映像信号のレベルがゼロの場合には、レーザ光が発光することはないため、輝度をゼロまで下げることができる。
【０１４０】
［５−４．適用例４］
図３３は、第２実施形態の適用例４に係るレーザ駆動回路の構成を示すブロック図である。本適用例４に係るレーザ駆動回路１２Mは、適用例３に係るレーザ駆動回路１２Lにおけるレベル比較器１８３及び重畳電流スイッチ１８４に代えて、乗算器１８５（１８５R，１８５G，１８５B）をレーザ駆動映像電流生成回路１２１R，１２１G，１２１B毎に備えた構成となっている。
【０１４１】
乗算器１８５R，１８５G，１８５Bは、重畳信号発振器１２３から出力される高周波信号と、各波長の投影映像信号とを入力とし、これらを乗算する。乗算器１８５R，１８５G，１８５Bの各出力信号は、レーザ駆動重畳電流生成回路１８２R，１８２G，１８２Bに入力される。レーザ駆動重畳電流生成回路１８２R，１８２G，１８２Bは、乗算器１８５R，１８５G，１８５Bの各出力信号を、レーザ駆動に必要なレベルまで増幅する。レーザ駆動重畳電流生成回路１８２R，１８２G，１８２Bの各出力電流は、接続ノードＮR，ＮG，ＮBでレーザ駆動映像電流生成回路１２１R，１２１G，１２１Bの各出力電流と加算される。
【０１４２】
上述した構成の適用例４に係るレーザ駆動回路１２Mにおいても、第１実施形態の他の適用例の場合と同様の作用、効果を得ることができる。すなわち、投影映像信号のレベルがゼロの部分では、レーザ駆動電流に重畳する高周波信号の振幅もゼロとなり、また、投影映像信号のレベルが大きくなるほど、レーザ駆動電流に重畳する高周波信号の振幅も大きくなるため、スペックルノイズを低減する効果を強めることができる。
【０１４３】
ここで、乗算器１８５R，１８５G，１８５Bや、レーザ駆動重畳電流生成回路１８２R，１８２G，１８２Bの各利得を調整可能な構成とし、これら利得を調整することにより、レーザ駆動電流に重畳する高周波信号の振幅を変えることができる。例えば、加算する高周波信号の振幅を相対的にやや小さめに設定することにより、相対的にやや小さい振幅で高周波信号をレーザ駆動電流に重畳することができる。この場合、乗算器１８５R，１８５G，１８５B及びレーザ駆動重畳電流生成回路１８２R，１８２G，１８２Bの両方の利得を調整可能な構成の他、どちらか一方の利得を調整可能な構成とすることもできる。
【０１４４】
以上説明した、レーザ駆動映像電流生成回路１２１R，１２１G，１２１Bの出力側でレーザ駆動電流に高周波信号を重畳する処理を行う第２実施形態に係る各レーザ駆動回路１２（１２J〜１２M）に対しても本開示の技術を適用することができる。すなわち、レーザ駆動電流に重畳する高周波信号を投影映像信号に同期させる、第１実施形態の実施例乃至実施例８を適用することができる。そして、その適用により、適用例１乃至適用例４に係る作用、効果に加えて、実施例１乃至実施例８に係る作用、効果を得ることができる。
【０１４５】
＜４．本開示の構成＞
尚、本開示は以下のような構成を採ることができる。
［１］波長の異なるレーザ光を出射する複数のレーザ光源を駆動するレーザ駆動電流を、入力される映像信号に基づいて生成する複数のレーザ駆動映像電流生成回路と、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部とを備えるレーザ駆動回路。
［２］前記発振器は、前記映像信号に同期した信号に応じて前記発振器の発振停止／発振開始を制御する発振位相同期回路を有する上記［１］に記載のレーザ駆動回路。
［３］前記映像信号に同期した信号は、当該記映像信号明暗を繰り返す最小単位である画素の開始を示す画素周期同期信号である上記［１］または上記［２］に記載のレーザ駆動回路。
［４］前記高周波重畳部は、前記映像信号から前記画素周期同期信号を抽出し、当該画素周期同期信号を前記映像信号に同期した信号として前記発振器に与える画素周期抽出回路を有する上記［１］から上記［３］のいずれかに記載のレーザ駆動回路。
［５］前記高周波重畳部は、前記映像信号のレベル情報を、明暗を繰り返す最小単位である画素毎に判別してレベル変動を検出し、当該レベル変動に同期した信号を前記映像信号に同期した信号として前記発振器に与えるレベル変動検出回路を有する上記［１］または上記［２］に記載のレーザ駆動回路。
［６］前記高周波重畳部は、任意の、若しくは、前記高周波信号の周波数に連動した発振停止期間を設定する発振停止期間設定回路を有し、
前記発振器は、前記発振停止期間設定回路が設定した発振停止期間の間発振を停止した後に、発振を開始する上記［２］から上記［５］のいずれかに記載のレーザ駆動回路。
［７］前記高周波重畳部は、複数の発振器を有し、
前記発振位相同期回路は、前記複数の発振器の発振出力を切り替えることにより、一の発振器の発振停止期間では別の発振器の発振出力を、レーザ駆動電流に重畳する高周波信号として用いる上記［２］または上記［３］に記載のレーザ駆動回路。
［８］前記高周波重畳部は、複数のレーザ駆動映像電流生成回路に対応して設けられ、入力される映像信号に対して振幅調整を行う複数の増幅／減衰器を有し、発振停止期間に前記複数の増幅／減衰器の出力を選択することによって輝度の調整を行う上記［２］から上記［６］のいずれかに記載のレーザ駆動回路。
［９］前記高周波重畳部は、前記発振器の出力をカウントし、カウント値が所定の設定値になったときにカウンタ信号を出力するカウンタを有し、
前記発振器は、前記カウンタが出力するカウンタ信号を受けて発振を停止する上記［２］、上記［３］、または、上記［８］に記載のレーザ駆動回路。
［１０］波長の異なるレーザ光を出射する複数のレーザ光源を駆動するレーザ駆動電流を、入力される映像信号に基づいて生成するレーザ駆動映像電流生成ステップと、
前記映像信号に同期した信号を基に、前記映像信号の帯域を超える周波数の高周波信号を発振する発振ステップと、
前記レーザ駆動映像電流生成ステップで生成するレーザ駆動電流に対して、前記発振ステップで発振する前記高周波信号を重畳する高周波重畳ステップとを有するレーザ駆動方法。
［１１］波長の異なるレーザ光を出射する複数のレーザ光源と、
入力される映像信号に応じて前記複数のレーザ光源を駆動するレーザ駆動回路と、
前記複数のレーザ光源から出射されたレーザ光をスクリーンに投影するスキャナ部とを具備し、
前記レーザ駆動回路は、
前記複数のレーザ光源を駆動するレーザ駆動電流を前記映像信号に基づいて生成する複数のレーザ駆動映像電流生成回路と、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部とを備えるプロジェクタ装置。
［１２］波長の異なるレーザ光を出射する複数のレーザ光源を駆動するレーザ駆動電流を、入力される映像信号に基づいて生成する複数のレーザ駆動映像電流生成回路と、
前記映像信号に同期した信号を基に、前記映像信号の帯域を超える周波数の高周波信号を発振する発振器を有し、当該高周波信号を前記複数のレーザ駆動映像電流生成回路が生成するレーザ駆動電流に対して重畳する高周波重畳部とを備えるレーザ駆動回路を用いる装置。
【符号の説明】
【０１４６】
１０・・・レーザビーム・スキャニング方式のプロジェクタ装置、１１・・・ビデオ信号処理回路、１２（１２A〜１２M）・・・レーザ駆動回路、１３・・・光源部、１４・・・スキャナ部、１５・・・受光素子、１６・・・スキャナ駆動回路、１２０R，１２０G，１２０B・・・駆動部、１２１R，１２１G，１２１B・・・レーザ駆動映像電流生成回路、１２２R，１２２G，１２２B・・・ベース電流生成回路、１２３，１２３A，１２３B・・・重畳信号発振器、１２４R，１２４G，１２４B，１７２R，１７２G，１７２B・・・映像信号スイッチ、１２５・・・発振位相同期回路、１２６・・・画素周期抽出回路、１２７・・・レベル変動検出回路、１２８・・・発振停止期間設定回路、１３１R，１３１G，１３１B・・・レーザ光源、１５１・・・分周器、１５２・・・インバータ、１５３，１７４・・・ＯＲゲート、１７１R，１７１G，１７１B，１７５A_R，１７５B_R，１７５A_G，１７５B_G，１７５A_B，１７５B_B・・・増幅／減衰器、１７３・・・カウンタ、１８１R，１８１G，１８１B・・・レーザ駆動電流スイッチ、１８２R，１８２G，１８２B・・・レーザ駆動重畳電流生成回路、１８３R，１８３G，１８３B・・・レベル比較器、１８４R，１８４G，１８４B・・・重畳電流スイッチ、１８５R，１８５G，１８５B・・・乗算器
【図１】
0005942544.tif 000002
【図２】
0005942544.tif 000003
【図３】
0005942544.tif 000004
【図４】
0005942544.tif 000005
【図５】
0005942544.tif 000006
【図６】
0005942544.tif 000007
【図７】
0005942544.tif 000008
【図８】
0005942544.tif 000009
【図９】
0005942544.tif 000010
【図１０】
0005942544.tif 000011
【図１１】
0005942544.tif 000012
【図１２】
0005942544.tif 000013
【図１３】
0005942544.tif 000014
【図１４】
0005942544.tif 000015
【図１５】
0005942544.tif 000016
【図１６】
0005942544.tif 000017
【図１７】
0005942544.tif 000018
【図１８】
0005942544.tif 000019
【図１９】
0005942544.tif 000020
【図２０】
0005942544.tif 000021
【図２１】
0005942544.tif 000022
【図２２】
0005942544.tif 000023
【図２３】
0005942544.tif 000024
【図２４】
0005942544.tif 000025
【図２５】
0005942544.tif 000026
【図２６】
0005942544.tif 000027
【図２７】
0005942544.tif 000028
【図２８】
0005942544.tif 000029
【図２９】
0005942544.tif 000030
【図３０】
0005942544.tif 000031
【図３１】
0005942544.tif 000032
【図３２】
0005942544.tif 000033
【図３３】
0005942544.tif 000034